(57)【要約】【課題】  下着を履く時には補正補強領域が適度に伸び、またその後は、該補正補強領域が次第に縮んで、ヒップラインを持ち上げるような特殊な伸縮性能を有する素材を用いても、ヒップアップ効果は限定的であり、著しくその効果が上がるものが望まれていた。そのため、本発明はヒップアップ効果のより高い補整下着を提供せんとするものである。【解決手段】  臀部を覆う布地の該臀部上向き斜面部位につき、両臀部に跨がるように切り裂いて作成された引っ張り上げベルト部１０ａと、上記引っ張り上げベルト部１０ａの上端部にその一方２０ａが設けられると共に、該上端部が臀部を覆う布地の上辺近くに、着脱自在に係止出来るように、他方２０ｂが取り付けられた係止部２０とが備えられている。【選択図】        図１
2015086492.tif 000002
【特許請求の範囲】
【請求項１】
臀部を覆う布地の該臀部上向き斜面部位につき、両臀部に跨がるように切り裂いて作成された、或いは該臀部上向き斜面部位を、両臀部に跨がるように別布で取り付けられた、引っ張り上げベルト部と、
上記引っ張り上げベルト部の上端部にその一方が設けられると共に、該上端部が臀部を覆う布地の上辺近くに、着脱自在に係止出来るように、他方が取り付けられた係止部と
を有することを特徴とする補整下着。
【請求項２】
該補整下着の股部内側に当て布部が取り付けられたことを特徴とする請求項１記載の補整下着。
【請求項３】
臀部を覆う布地の上辺近くの上記係止部に、その露出をカバーする被覆体を有することを特徴とする請求項１又は２記載の補整下着。
【発明の詳細な説明】
【技術分野】
【０００１】
本発明は、ヒップアップ効果の高い補整下着に関する。
【背景技術】
【０００２】
従来からこのヒップアップ用の補整下着１００は、図７に示される下記特許文献１の発明のように、背部股下部からヒップライン下部を包み込むように曲状に補正補強領域１１０を設けて、この下着を履く時には該補正補強領域１１０が適度に伸び、またその後は、該補正補強領域１１０が次第に縮んで、ヒップラインを持ち上げるような特殊な伸縮性能を有する素材を使用するものが多い。
【特許文献１】実用新案登録第３０３５７５２号
【発明の開示】
【発明が解決しようとする課題】
【０００３】
しかし、そのような素材を用いても、ヒップアップ効果は限定的であり、著しくその効果が上がるものが望まれていた。
【０００４】
本発明は、以上のような問題に鑑み創案されたものであって、ヒップアップ効果のより高い補整下着を提供せんとするものである。
【課題を解決するための手段】
【０００５】
本発明の構成は、
臀部を覆う布地の該臀部上向き斜面部位につき、両臀部に跨がるように切り裂いて作成された、或いは該臀部上向き斜面部位を、両臀部に跨がるように別布で取り付けられた、引っ張り上げベルト部と、
上記引っ張り上げベルト部の上端部にその一方が設けられると共に、該上端部が臀部を覆う布地の上辺近くに、着脱自在に係止出来るように、他方が取り付けられた係止部と
を有することを基本的な特徴としている。
【０００６】
上記構成によれば、本補整下着を履いた際に、後述する図３に示すように、上記引っ張り上げベルト部を上部に引っ張り上げ、一方の係止部を他方の係止部に係止させることで、ヒップを強制的に上方にアップさせることができるようになるため、ヒップアップ効果が従来のものよりもより高くなる。
【０００７】
また、上記本発明の構成で、ヒップが上方に引っ張られると、股部（股間部）に補整下着の内面が強く押しつけられるため、どうしてもその部分の履き心地が悪くなる（場合により痛くなったり、窮屈に感じたりする）ため、該補整下着の股部内側には、当て布部が取り付けられることが望ましい。そうすることで、より履き心地が改善されることになる。
【０００８】
他方上記係止部が、ベルクロ（登録商標）のような面ファスナーで構成されている場合、臀部を覆う布地の上辺近くの上記係止部は、必ずしも他方の係止部で覆われるとは限らず、後述する図５に示すように、その一部が露出することも多い。そのような状態で、その上にパンツやスカート等が履かれてこれらで覆われた場合、どうしても他方の係止部で覆われていない部分に沿って、凹凸のラインがパンツやスカート等に浮き出てしまう。そのような凹凸のラインが浮き出ないようにするためには、臀部を覆う布地の上辺近くの上記係止部に、その露出をカバー（その凹凸のラインをでないように）する被覆体を有するようにすることが望ましい。
【０００９】
尚、上記係止部は、面ファスナー以外の他の係止手段（例えば普通のファスナーやスナップボタン等のボタン類など）でも良いことは言うまでもない。
【発明の効果】
【００１０】
本発明の上記構成によれば、本補整下着を履いた際に、図３に示すように、上記引っ張り上げベルト部を上部に引っ張り上げ、一方の係止部を他方の係止部に係止させることで、ヒップを強制的に上方にアップさせることができるようになるため、ヒップアップ効果が従来のものよりもより高くなるという優れた効果を奏し得ることになる。
【発明を実施するための最良の形態】
【００１１】
以下、本発明の実施の形態を図示例と共に説明する。
【実施例１】
【００１２】
図１〜図３は、本発明の一実施例構成を示す補整下着１の説明図である。図１及び図２に示すように、本補整下着１は、図７に示す、従来の補整下着１００のように、背部股下部からヒップライン下部を包み込むように曲状に補正補強領域１１０が設けられていて、この下着を履く時には該補正補強領域１１０が適度に伸び、またその後は、該補正補強領域１１０が次第に縮んで、ヒップラインを持ち上げられる構成が、備えられている。（尚、このような補正補強領域１１０が無い場合も、本発明構成は適用可能である。）
【００１３】
そして、臀部を覆う布地の該臀部上向き斜面部位につき、両臀部に跨がるように切り裂いて作成された引っ張り上げベルト部１０ａと、上記引っ張り上げベルト部１０ａの上端部にその一方２０ａが設けられると共に、該上端部が臀部を覆う布地の上辺近くに、着脱自在に係止出来るように、他方２０ｂが取り付けられた係止部２０とが備えられている。
【００１４】
上記本補整下着１の構成によれば、該補整下着１を履いた際に、図３に示すように、上記引っ張り上げベルト部１０ａを上部に引っ張り上げ、一方の係止部２０ａを他方の係止部２０ｂに係止させることで、ヒップを強制的に上方にアップさせることができる（図矢指線に示す）ようになるため、ヒップアップ効果が従来のものよりもより高くなる。図３の破線部分は、図７の従来の補整下着１００を履いた場合のヒップラインを示している。
【００１５】
また、上記本発明の構成で、図４に示すように、本補整下着１の股部内側には、当て布部３０が取り付けられている。これは、本補整下着１によって、ヒップが上方に引っ張られると、股部（股間部）に本補整下着１の内面が強く押しつけられ、どうしてもその部分の履き心地が悪くなる（場合により痛くなったり、窮屈に感じたりする）ため、股部内側に、当て布部３０が取り付けられ、それによって、より履き心地が改善されている。
【００１６】
さらに、本補整下着１では、上記係止部２０が、面ファスナーで構成されている。従って、臀部を覆う布地の上辺近くの上記係止部２０ｂは、必ずしも他方の係止部２０ａで覆われるとは限らず、その一部が露出することも多い。このような状態で、その上にパンツやスカート等が履かれてこれらで覆われた場合、どうしても他方の係止部で覆われていない部分に沿って、凹凸のラインがパンツやスカート等に浮き出てしまう。そのような凹凸のラインが浮き出ないようにするために、図５に示すように、臀部を覆う布地の上辺近くの上記係止部２０ｂに、その露出をカバー（その凹凸のラインをでないように）する被覆体４０を有する構成としている。
【００１７】
尚、上記係止部は、面ファスナー以外の他の係止手段（例えば普通のファスナーやスナップボタン等のボタン類など）でも良いことは言うまでもない。
【実施例２】
【００１８】
実施例２の構成は、図６に示すように、引っ張り上げベルト部１０ｂの構成が、実施例１とは異なり、臀部を覆う布地の該臀部上向き斜面部位につき、該臀部上向き斜面部位を、両臀部に跨がるように別布で取り付けられた構成としている点である。その他の構成は、上記実施例１と同じであるので、同じ構成には、同じ数字を使用し、その説明は省略する。
【００１９】
尚、本発明の補整下着１の構成は、上述の図示例にのみ限定されるものではなく、本発明の要旨を逸脱しない範囲内において種々変更を加え得ることは勿論である。
【産業上の利用可能性】
【００２０】
本発明の補整下着は、下着だけでは無く、上着であるパンツなどに用いることもできる。
【図面の簡単な説明】
【００２１】
【図１】本発明にかかる実施例１の補整下着１の構成を示す説明図である。
【図２】上記実施例１の側面から見た状態を示す説明図である。
【図３】上記実施例１の構成によるヒップアップ効果の状態を示す説明図である。
【図４】実施例１の補正下着１の股部内側に、当て布部３０が取り付けられている状態を示す説明図である。
【図５】凹凸のラインがパンツやスカート等に浮き出ないようにするために、臀部を覆う布地の上辺近くの上記係止部２０ｂに、その露出をカバーする被覆体４０が設けられた状態を示す説明図である。
【図６】引っ張り上げベルト部１０ｂの構成が、臀部を覆う布地の該臀部上向き斜面部位につき、該臀部上向き斜面部位を、両臀部に跨がるように別布で取り付けられている構成とした実施例２の補整下着１の構成を示す説明図である。
【図７】従来の補整下着１００の構成を示す説明図である。
【符号の説明】
【００２２】
１、１００          補整下着
２０、２０ａ、２０ｂ  係止部
３０                  当て布部
４０                  被覆体
１１０                  補正補強領域
【図１】
2015086492.tif 000003
【図２】
2015086492.tif 000004
【図３】
2015086492.tif 000005
【図４】
2015086492.tif 000006
【図６】
2015086492.tif 000007
【図７】
2015086492.tif 000008
【図５】
2015086492.tif 000009